【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
左と右の信号間の相関度が変更可能な疑似ステレオ信号を取得する装置であって、
疑似ステレオ変換用のステレオ変換器と、その後に接続された二つのパノラマ電位差計（３１１，３１２；４１１，４１２；５１１，５１２）とを備え、各パノラマ電位差計が二つのバス配線の信号を生成する第一の回路（３０９，４０９，５０９）か、
ステレオ変換器とそのステレオ変換器の前に接続された、ステレオ変換器の入力信号を増幅するための増幅器（７１７）とを備えた疑似ステレオ変換用の第一の回路（３０９，４０９，５０９）か、
上記のバス配線の信号と同等の信号を生成するように、それぞれ所定の係数で増幅された入力信号（Ｍ，Ｓ）を加算する加算器と減算する減算器を有する改良したステレオ変換器を備えた第二の回路、
を有する装置。
【請求項２】
第一の回路の左の出力（Ｌ’）と右の出力（Ｒ’）の後に、それぞれ一つのパノラマ電位差計が接続されている請求項１に記載の装置。
【請求項３】
パノラマ電位差計が、両方ともバス配線（３１３，３１４；３１５，３１６；４１３，４１４；４１５，４１６；５１３，５１４；５１５，５１６）を有し、これらの二つのバス配線を単に共通的に、並行して使用することができる請求項２に記載の装置。
【請求項４】
各パノラマ電位差計が、一つの入力（３０２；３０３）と二つの出力（３１３，３１４；３１５，３１６）を有し、
第一のパノラマ電位差計（３１１）の入力が、第一の回路の第一の出力（Ｌ’）と接続されており、
第二のパノラマ電位差計（３１２）の入力が、第一の回路の第二の出力（Ｒ’）と接続されており、
第一のパノラマ電位差計（３１１）の第一の出力（３１３）が、第二のパノラマ電位差計（３１２）の第一の出力（３１５）と接続されており、
第一のパノラマ電位差計（３１１）の第二の出力（３１４）が、第二のパノラマ電位差計（３１２）の第二の出力（３１６）と接続されている、
請求項２に記載の装置。
【請求項５】
（ａ）左の出力信号Ｌ’に係数１／２＊（１＋λ）（λは、ＭＳマトリックスの前記の左の出力信号Ｌ’に関する減衰係数に反比例して、（０ｄＢに対応する）１≧λ≧（３ｄＢに対応する）０である）を乗算した結果と、ＭＳマトリックスの右の出力信号Ｒ’に係数１／２＊（１−ρ）（ρは、ＭＳマトリックスの前記の右の出力信号Ｒ’に関する減衰係数に反比例して、（０ｄＢに対応する）１≧ρ≧（３ｄＢに対応する）０である）を乗算した結果とを加算して、左のバス配線の信号Ｌを最終的に生成する手段と、
（ｂ）上記（ａ）での左の出力信号Ｌ’に係数１／２＊（１−λ）を乗算した結果と、ＭＳマトリックスの前記の右の出力信号Ｒ’に係数１／２＊（１＋ρ）を乗算した結果とを加算して、右のバス配線の信号Ｒを最終的に生成する手段と、
備えていることを特徴とする請求項１に記載の装置。
【請求項６】
（ａ）係数（２＋λ−ρ）で増幅された第一の入力信号（Ｍ）と係数（λ＋ρ）で増幅された第二の入力信号（Ｓ）を加算して合算信号を生成する加算手段と、
（ｂ）係数（２−λ＋ρ）で増幅された第一の入力信号（Ｍ）から係数（λ＋ρ）で増幅された第二の入力信号（Ｓ）を減算して差分信号を生成する減算手段と、
を備えていることを特徴とする請求項１に記載の装置。
【請求項７】
減衰係数λとρが等しい請求項６に記載の装置。
【請求項８】
当該の得られた左と右のチャンネルの最大レベルを正規化するか、或いは同様に＜ｘ（ｔ），ｙ（ｔ）＞の座標系の軸の長さを正規化する正規化手段を備えた請求項１に記載の装置。
【請求項９】
当該の得られた疑似ステレオ信号の相関度ｒ或いは減衰係数λ又は減衰係数ρを可能な限り変更することによって、その疑似ステレオ信号のマッピング幅を更に決定する手段を備えていることを特徴とする請求項１に記載の疑似ステレオ信号を取得する装置。
【請求項１０】
ステレオ信号のマッピング方向を更に決定又は規定する手段を備えた請求項１に記載の装置。
【請求項１１】
得られたステレオ信号を二台以上のスピーカーから再生することができるように更に評価する手段を備えた請求項１に記載の装置。
【請求項１２】
オーディオ信号の圧縮、データ削減又はそれ以外の選択的評価を行う手段を備えた請求項１に記載の装置。
【請求項１３】
得られたステレオ出力信号を三台以上のスピーカーから再生するために使用されるステレオ信号に変換する一つ以上の変換器を備えていることを特徴とする請求項１に記載の装置。
【請求項１４】
ＦＭステレオ信号に基づき疑似ステレオ信号を取得するために請求項１に記載の装置を使用する方法。
【請求項１５】
左と右の信号間の相関度が変更可能な疑似ステレオ信号を取得する方法において、
一つの信号をステレオ変換器でステレオ変換する工程と、
二つのパノラマ電位差計を用いて、或いは
ステレオ変換器の前に接続された、ステレオ変換器の入力信号を増幅する増幅器（７１７）を用いて、或いは
それぞれ所定の係数で増幅された入力信号（Ｍ，Ｓ）を加算する加算器と減算する減算器を有する改良したステレオ変換器を用いて、
左と右の信号間の相関度を調整する工程と、
を有する方法。
【請求項１６】
左と右の出力チャンネルにそれぞれ一つのパノラマ電位差計が接続されており、これらの二つのパノラマ電位差計がそれぞれ一つのバス配線を有し、二つのバス配線が共通的に、並行して使用される請求項１５に記載の方法。
【請求項１７】
各パノラマ電位差計が一つの入力（３０２；３０３）と二つの出力（３１３，３１４；３１５，３１６）を有し、
第一のパノラマ電位差計（３１１）の入力が回路の第一の出力（Ｌ’）と接続され、
第二のパノラマ電位差計（３１２）の入力が回路の第二の出力（Ｒ’）と接続され、
第一のパノラマ電位差計（３１１）の第一の出力（３１３）が第二のパノラマ電位差計（３１２）の第一の出力（３１５）と接続され、
第一のパノラマ電位差計（３１１）の第二の出力（３１４）が第二のパノラマ電位差計（３１２）の第二の出力（３１６）と接続されている、
請求項１５に記載の方法。
【請求項１８】
（ａ）左の出力信号Ｌ’に係数１／２＊（１＋λ）（λは、ＭＳマトリックスの前記の左の出力信号Ｌ’に関する減衰係数に反比例して、（０ｄＢに対応する）１≧λ≧（３ｄＢに対応する）０である）を乗算した結果と、ＭＳマトリックスの右の出力信号Ｒ’に係数１／２＊（１−ρ）（ρは、ＭＳマトリックスの前記の右の出力信号Ｒ’に関する減衰係数に反比例して、（０ｄＢに対応する）１≧ρ≧（３ｄＢに対応する）０である）を乗算した結果とを加算して、左のバス配線の信号Ｌを最終的に生成し、
（ｂ）上記（ａ）での左の出力信号Ｌ’に係数１／２＊（１−λ）を乗算した結果と、ＭＳマトリックスの前記の右の出力信号Ｒ’に係数１／２＊（１＋ρ）を乗算した結果とを加算して、右のバス配線の信号Ｒを最終的に生成する、
ことを特徴とする請求項１５に記載の方法。
【請求項１９】
（ａ）係数（２＋λ−ρ）で増幅された第一の入力信号（Ｍ）と係数（λ＋ρ）で増幅された第二の入力信号（Ｓ）を加算して合算信号を生成し、
（ｂ）係数（２−λ＋ρ）で増幅された第一の入力信号（Ｍ）から係数（λ＋ρ）で増幅された第二の入力信号（Ｓ）を減算して差分信号を生成する、
請求項１５に記載の方法。
【請求項２０】
減衰係数λとρが等しい請求項１９に記載の方法。
【請求項２１】
当該の得られた左と右のチャンネルの最大レベルを正規化するか、或いは同様に＜ｘ（ｔ），ｙ（ｔ）＞の座標系の軸の長さを正規化する請求項１９に記載の方法。
【請求項２２】
当該の得られた疑似ステレオ信号の相関度ｒ或いは減衰係数λ又は減衰係数ρを可能な限り変更することによって、その疑似ステレオ信号のマッピング幅を更に決定することを特徴とする請求項１５に記載の疑似ステレオ信号を取得する方法。
【請求項２３】
得られたステレオ信号のマッピング方向を更に決定又は規定することを特徴とする請求項１５に記載の方法。
【請求項２４】
得られたステレオ信号を二台以上のスピーカーから再生することができるように更に評価することを特徴とする請求項１５に記載の方法。
【請求項２５】
オーディオ信号に圧縮手法、データ削減手法又はそれ以外の選択的評価手法を更に適用することを特徴とする請求項１５に記載の方法。
【請求項２６】
得られたステレオ出力信号を三台以上のスピーカーから再生するためのステレオ信号に変換することを特徴とする請求項１５に記載の方法。
【請求項２７】
本方法をＦＭステレオ信号に適用することを特徴とする請求項１５に記載の疑似ステレオ信号を取得する方法。